(57)【要約】【課題】  場所に制限を受けることなく長期間使用可能であり、身体に対する影響が少なく、かつ、安全に使用することができる小動物忌避材及び小動物忌避方法を提供する。【解決手段】  ナフテン酸を有機溶剤にて希釈し、このナフテン酸の希釈液を含浸させた基材１を外気に接触させて、基材１に含浸されたナフテン酸を放散させることにより、カラス等の小動物を所定の場所から防除する。このナフテン酸を含浸させた基材１をカバー２で覆い、このカバー２と基材１との間に所定の空間を形成するためのスペーサ３を配設して前記小動物忌避材と前記カバ２ーとの間に空気の流通路１０を形成した。【選択図】  図２
2005104897.tif 000002
【特許請求の範囲】
【請求項１】
ナフテン酸を基材に含ませてなることを特徴とする小動物忌避材。
【請求項２】
前記基材は、布であることを特徴とする請求項１に記載の小動物忌避材。
【請求項３】
前記基材を耐水性を有するカバーで覆い、このカバーと基材との間に所定の空間を形成するためのスペーサを配設して前記基材と前記カバーとの間に空気の流通路を形成したことを特徴とする請求項１又は請求項２に記載の小動物忌避材。
【請求項４】
ナフテン酸を有機溶剤にて希釈し、このナフテン酸の希釈液を含浸させた基材を外気に接触させて、外気中にナフテン酸を放散させることを特徴とする小動物忌避方法。
【発明の詳細な説明】
【技術分野】
【０００１】
本発明は、所定の場所に設置して小動物を防除する小動物忌避材及び小動物忌避方法に関するものであり、特にカラスの防除に好適な技術に関するものである。
【背景技術】
【０００２】
従来より、鳩の糞、カラスによるゴミ集積場の荒廃等小動物による被害が発生しており、このような被害を防ぐため種々の方法が用いられていた。例えば、ゴミ集積場におけるカラスの被害を防ぐ方法としては、ゴミ集積場全体をネットで囲む方法、カラスが避ける成分の忌避材を直接ゴミ袋にスプレーする方法を例示できる。
【０００３】
前記ネットを用いる方法は、カラスが荒らすゴミ集積場全体をネットで隙間無く囲み、ゴミ集積場へのカラスの進入を防ぐものである。従って、ネット間に隙間があると、その隙間からカラスが進入してしまうため、ゴミ集積場全体を隙間無くネットで囲まなければならない。例えば、ゴミを捨てる際等ネットを開閉する度にネットを隙間無く配置しなければならず、手間を要していた。また、ネットが破損している場合にはその破損箇所からカラスが進入する恐れがあるため、頻繁にネットのメンテナンスを行う必要も生じていた。
【０００４】
また、前記スプレーを用いる方法は、例えばメントールを主成分とするハッカをスプレーし、このハッカの刺激臭によりカラスを防除する方法である。この方法によれば、カラスを防除したい箇所に刺激臭を有する溶剤を吹きかければ良く、ネットを用いる方法と比較するとメンテナンスの手間を省くことが可能となる。しかしながら、一度忌避材を吹きかけても、刺激臭が消臭してしまうと効果を得ることが出来ないため、長期間の効果を期待することは出来なかった。その一方、効果が持続している間は、その刺激臭により人が不快感を感じることも少なくなかった。
【発明の開示】
【発明が解決しようとする課題】
【０００５】
本発明は、このような問題に鑑みて成されたものであり、使用場所に制限を受けることなく長期間使用可能であり、身体に対する影響が少なく、かつ、安全に使用することが出来る小動物忌避材及び小動物忌避方法を提供することを技術的課題とする。
【課題を解決するための手段】
【０００６】
本発明は、上記課題を達成するために、以下の手段を採用した。すなわち、本発明は小動物忌避材であって、ナフテン酸を基材に含ませてなることを特徴とする。後述する試験で、このナフテン酸によって小動物を忌避できることが認められた。本出願において小動物とは、比較的小型の動物を指し、例えば、カラス、鳩、ねずみ、たぬき等である。ここで、ナフテン酸とは、石油から誘導されるシクロペンタン、シクロヘキサン、シクロへプタ等のカルボン酸誘導体の総称であり、一般的に、ペイント乾燥剤、木材防腐剤、金属の製造等に用いられている。尚、ナフテン酸の急性毒性は、ＬＤ５０＝３０００ｍｇ／ｋｇ（ラットの経口投与）であり、低毒性で安全性の高い物質である。
【０００７】
前記基材とは、ナフテン酸を吸収させることが出来るものであれば良く、その材質、形、大きさ、厚さ等に制限はない。基材として、例えば、布、海綿を例示できる。特に、扱いやすさ等から布を好適に用いることが可能であり、吸水性が高い布を用いることにより、ナフテン酸を長時間保持することも可能となる。
【０００８】
また、本発明は小動物忌避方法であって、ナフテン酸を有機溶剤にて希釈し、このナフテン酸の希釈液を含浸させた基材を外気に接触させて、外気中にナフテン酸を放散させることを特徴としても良い。ナフテン酸を溶かした有機溶剤を基材に吸収させて、この基材を通気性の良い場所等に設置する。この方法によれば、基材を外気に接触させることで、ナフテン酸を気化させて小動物を防除することが出来る。
【０００９】
ナフテン酸は、通常ゲル状であり、ナフテン酸だけでは基材に吸収させることが難しいことが考えられる。また、ナフテン酸は水に不溶であるが、有機溶剤には溶ける性質がある。そのため、ナフテン酸を有機溶剤に溶かし、流動性を高め、これを基材に吸収させ易くする。
【００１０】
前記有機溶剤は、液体有機化合物のことであり、例えば、ベンジン、キシロール等が挙げられる、しかし、ナフテン酸を溶かすことが出来れば良く、有機溶剤はこれらに限られない。
【００１１】
さらに、本発明に係る小動物忌避方法は、ナフテン酸を溶かした有機溶剤を吸収させた基材を上方から吊るし、この基材を回転自在に設置することを特徴としても良い。前記基材を上方から吊すことにより、周囲の空気と多く接触させることができ、更に、この基材を回転させることで、効率良くナフテン酸を気化させることが可能となる。
【００１２】
また、本発明は、前記ナフテン酸を含浸させた基材を耐水性を有するカバーで覆い、このカバーと基材の間に所定の空間を形成するためのスペーサを配設して前記基材と前記カバーとの間に空気の流通路を形成することが望ましい。本発明によって、防除する小動物はカラス等の屋外の小動物も対象としている。従って、このナフテン酸を溶かした有機溶剤を含浸させた基材を屋外に設置することも多い。しかし、基材を外気に接触するように屋外に配置すると、例えば雨が降った場合等天候によって基材に吸収させたナフテン酸が流れ出してしまうことがある。かかる場合に前記基材を耐水性を有するカバーで覆うことにより、雨等によってナフテン酸が流れ出るのを防ぐことが出来る。更に、例えば、基材と密着した状態で基材をカバーで覆ってしまうと、基材の通気性が悪くなり、ナフテン酸が気化しにくくなる。そのため、基材とカバーとの間に空気の流通路を形成する事が望ましく、本発明では、カバーと基材の間にスペーサを配置した。このスペーサによりカバーと基材との間に空間が形成され、基材の通気性が向上し、効率良くナフテン酸を気化させて小動物を防除することができる。
【００１３】
また、本発明に係る小動物忌避材は、前記基材を所定の固さを有する板材に固定することを特徴としても良い。前記基材を板材に固定することにより、一定の形態を有するため、例えば、携帯用として使用することも可能となる。
【発明の効果】
【００１４】
以上のように本発明によれば、場所に制限を受けることなく、安全に、かつ容易に小動物を防除することが出来る。また、本発明に係る小動物忌避材の忌避効果は、少なくとも約１ヶ月以上持続するものであり、メンテナンス等の手間を必要とせず長期間使用することが可能である。
【発明を実施するための最良の形態】
【００１５】
以下、本発明の実施例を説明する。
（小動物忌避材の製造方法）
まず、ナフテン酸３Ｌとこのナフテン酸を溶かす有機溶剤として灯油３Ｌを用意する。そして、ナフテン酸と有機溶剤を撹拌して、ナフテン酸を有機溶剤に溶かす。次いで、帯状の布１を用意して、ナフテン酸を溶かした有機溶剤にこの布１を浸け、そのまま３日間
放置して十分に布１に吸収させる。
【００１６】
３日経過後に布１を取り出して、上方から紐４で吊るし、ビニール製のカバー２で覆う。前記カバー２の内側には、予めスペーサとしての木片３を設けておく。この木片３を設けておくことにより、布１とカバー２との間に空気の流通路１０が形成され、有機溶剤が気化しやすくなる。さらに、この小動物忌避材を吊す紐４には、回転自在なスイベル継手５が接続されており、風等外からの力によって回転し、効率良くナフテン酸を気化させることが可能となる。（図１，図２参照）。
【００１７】
（小動物忌避材の使用方法）
前記カバー２で覆われた布１を、小動物を防除したい場所に設置する。例えば、屋外から室内へ入ってくる小動物を防除する場合には、出入口であるドアの上部に設置したり、窓の上部に設置する。この設置する場所は、周辺に忌避材が行き渡るため比較的高い場所が好適である。特に、開閉頻度の激しい出入り口、または開放しておかなければならない出入り口、窓等がある建造物の場合に有効である。加えて、例えば室内の小動物を防除する場合には、比較的ねずみ等が集まりやすい台所に設置すると良く、戸棚の内部等が効果的である。また、糞害、作物被害、航空機の運行上の妨害等鳥類の被害を抑制、防止する場合には、忌避の必要がある施設、建物等の近辺、外部に設置すると効果的である。
【００１８】
さらに、比較的高い箇所に設置する場合には、上方から紐等で吊すと良く、例えば、鳥の被害が多発している空港においては、複数の布を用意しておき、空港を囲むようにして並べて吊すと効果的である。また、室内に設置する場合、携帯用として持ち歩く場合には、所定の固さを有する板に固定すると、持ち運び、設置に便利となる。
【００１９】
〔実験例１〕
前述した方法で得られた小動物忌避材を使用し、その使用前と使用後のおいてゴミ集積場におけるカラスの目撃数を比較した。
【００２０】
（実験方法）
実施例に示す方法で得た小動物忌避材を染み込ませた幅１５ｃｍ×長さ７０ｃｍの布をゴミ集積場に１個ずつ設置した。図３は、実験１における小動物忌避材の配置図であり、斜線で示す箇所がゴミ集積場である。布を設置する１週間前から設置後４週間の間、ＡからＪまで１０カ所におけるカラスの目撃数を調べた。表１は、１週間毎のカラスの目撃回数の合計を示したものである。
【００２１】
（実験結果）
【表１】
2005104897.tif 000003
表１に示すように、本発明に係る忌避材を使用すると直ちに効果が発揮され、いずれの場所においてもカラスの目撃回数が減少しており、本忌避材によってカラスを防除することが出来た。また、設置後４週間経過しても、カラスはほとんど目撃されておらず、設置直後と変わらなく効果が持続した。
【００２２】
〔実験例２〕
前記実施の形態で示した方法で得られた小動物忌避材を図４に示す種々の場所（イ，ロ，ハ，ニ）に設置し、各々対象となる小動物の目撃回数を設置前と設置後で比較した。
【００２３】
（実験方法）
実施の形態で示した方法で得られた小動物忌避材を幅１５ｃｍ×長さ７０ｃｍの布に吸収させて、各実験場所に１個ずつ設置した。使用前１週間と使用後４週間の間の実験場所付近で目撃した小動物の数を調べた。対象とした小動物は、各実験場所で異なっているが、カラス、鳩、ねずみを対象とした。
【００２４】
（実験結果）
【表２】
2005104897.tif 000004
表２に示すように、本忌避材を使用するとカラス、鳩、ねずみ等小動物の目撃回数が減少しており、これらの小動物をいずれも防除することができた。また、実験例１と同様に、本忌避材を設置すると直ちに効果が発揮され、４週間経過してもその効果は変わらず、長期間効果が持続した。
【図面の簡単な説明】
【００２５】
【図１】本発明に係る小動物忌避材の使用例を示した斜視図である。
【図２】図１に示した小動物忌避材の使用例の側面図である。
【図３】実験例１における小動物忌避材の配置図である。
【図４】実験例２における小動物忌避材の配置図である。
【符号の説明】
【００２６】
１  布
２  カバー
３  木片
４  紐
５  スイベル継手
１０  空気の流通路
【図１】
2005104897.tif 000005
【図２】
2005104897.tif 000006
【図３】
2005104897.tif 000007
【図４】
2005104897.tif 000008